(57)【要約】【課題】特定の行動を起こした登録者の周囲にいる他の登録者を検出し、ここで検出した他の登録者に配信情報を配信することで、無駄な情報配信が行われるのを抑え、且つより多くの人に配信情報を配信して宣伝効果を効率的に向上させた情報配信システムを提供する。【解決手段】店舗で取引を行う登録者４の携帯端末３が、近距離無線通信で周囲の他の携帯端末３に対して応答要求信号を送信する。この応答要求信号を受信した他の携帯端末３が応答信号を返す。携帯端末３は応答信号を送信してきた他の携帯端末３のリストを作成し、これをセンタ装置１に通知する。センタ装置１は、通知されたリストに載っている登録者４毎に、配信情報を配信する。これにより、無駄な配信を抑え、且つ多くの登録者４に居場所に応じた配信情報を配信することができる。【選択図】図１
2004070425.tif 000002
【特許請求の範囲】
【請求項１】
携帯端末から入力されたデータを用いて、特定の処理を実行する処理装置と、
上記携帯端末に配信情報を配信する情報配信装置と、を備えた情報配信システムにおいて、
上記携帯端末は、上記特定の処理に用いるデータを上記処理装置に入力する際に、他の携帯端末に対して応答を要求する応答要求信号を無線で送信する応答要求信号送信手段と、
上記応答要求信号送信手段が送信した上記応答要求信号に対する他の携帯端末から送信されてきた応答信号を受信する応答信号受信手段と、
上記応答信号を送信してきた携帯端末のリストを作成するリスト作成手段と、
上記リスト作成手段が作成したリストを上記情報配信装置に通知する通知手段と、を備え、
上記情報配信装置は、上記携帯端末毎に配信情報の配信先を記憶する配信先記憶手段と、
上記携帯端末の上記通知手段により通知されたリストに載っている携帯端末毎に、上記配信先記憶手段に記憶している配信先に配信情報を配信する配信手段と、を備えた情報配信システム。
【請求項２】
上記処理装置は、特定の処理として取引を処理する取引処理装置であり、
上記携帯端末は、取引処理に使用する取引関連情報を記憶する取引関連情報記憶手段を備えている請求項１に記載の情報配信システム。
【請求項３】
上記取引関連情報記憶手段は、上記取引関連情報として取引の決済に使用する価値情報を記憶している請求項２に記載の情報配信システム。
【請求項４】
上記応答要求信号は、レベル値とネスト値とを含み、
上記携帯端末は、上記応答要求信号を受信したとき、この応答要求信号に含まれている上記ネスト値が上記レベル値未満であるかどうかを判定するネスト値判定手段を備えるとともに、
上記ネスト値判定手段が、上記ネスト値が上記レベル値未満であると判定したとき、上記応答要求信号送信手段が今回受信した上記応答要求信号に含まれていたネスト値を１カウントアップした上記応答要求信号を送信し、上記リスト作成手段が今回送信した応答要求信号に対して応答信号を送信してきた他の携帯端末、およびこれらの携帯端末から通知された携帯端末のリストを作成し、上記通知手段が、ここで作成したリストを含む応答信号を今回受信した上記応答要求信号を送信してきた携帯端末に送信する請求項１〜３のいずれかに記載の情報配信システム。
【請求項５】
上記携帯端末は、上記ネスト判定手段が、今回受信した応答要求信号に含まれている上記ネスト値が上記レベル値以上であると判定したとき、上記通知手段が、今回受信した上記応答要求信号を送信してきた携帯端末に上記応答信号を送信する請求項４に記載の情報配信システム。
【請求項６】
情報配信装置が、携帯端末に配信情報を配信する情報配信方法において、
上記携帯端末は、特定の処理を実行する処理装置に対して、該処理装置が上記特定の処理に用いるデータを入力する際に、他の携帯端末に対して応答を要求する応答要求信号を無線で送信する第１のステップと、
上記第１のステップが送信した上記応答要求信号に対する他の携帯端末から送信されてきた応答信号を受信する第２のステップと、
上記応答信号を送信してきた携帯端末のリストを作成する第３のステップと、
上記第３のステップが作成したリストを上記情報配信装置に通知する第４のステップと、を実行し、
上記情報配信装置は、上記携帯端末の上記通知手段により通知されたリストに載っている携帯端末毎に本体にに記憶している配信先に配信情報を配信するステップを実行する情報配信方法。
【請求項７】
特定の処理を実行する処理装置に対して、該処理装置が上記特定の処理に用いるデータを入力する際に、他の携帯端末に対して応答を要求する応答要求信号を無線で送信する応答要求信号送信手段と、
上記応答要求信号送信手段が送信した上記応答要求信号に対する他の携帯端末から送信されてきた応答信号を受信する応答信号受信手段と、
上記応答信号を送信してきた携帯端末のリストを作成するリスト作成手段と、
上記リスト作成手段が作成したリストを上記情報配信装置に通知する通知手段と、を備えた携帯端末。
【発明の詳細な説明】
【０００１】
【発明の属する技術分野】
この発明は、情報配信装置が登録者の携帯端末に配信情報を配信する情報配信システム、情報配信方法、およびこの情報配信システムで使用される携帯端末に関する。
【０００２】
【従来の技術】
従来、情報配信装置が、登録者の携帯端末、例えば携帯電話やＰＤＡ、に配信情報を電子メールで配信する情報配信システムがあった。ここで言う登録者とは、広告の配信先、すなわち携帯端末の電子メールアドレス（以下、単にメールアドレスと言う。）、が上記情報配信装置に登録されている人である。また、配信情報は店舗、イベント等の広告、天気予報、交通情報等である。
【０００３】
一般的な情報配信システムは、広告の提供者（広告主）に対する請求金額（広告料）を該広告の配信回数に基づいて算出している。このため、広告主は、登録者に対して該登録者が必要としていない広告の配信（無駄な広告配信）が行われると、請求される広告料が増加するだけであって、無駄な広告配信により生じる宣伝効果、例えば店舗における集客や売上の向上といった効果、については殆ど得られない。例えば、女性向けの広告が多くの男性に配信された場合、広告主にしてみれば宣伝効果が生じない無駄な情報配信により、請求される広告料が増加するだけである。また、登録者は、自分が必要としていない広告が配信されてくるので、煩わしさを感じる。例えば、男性の登録者は女性向けの広告を必要としておらず、このような広告が配信されてきても煩わしさを感じるだけである。
【０００４】
このように、無駄な広告配信は、広告主、および広告を受け取る登録者の双方に対するサービスを低下させるので、従来の情報配信装置は、趣味、嗜好、年齢、性別等、登録者の属性を示す属性情報を登録者毎に登録し、登録者毎に登録されている属性情報に応じた広告を配信することで、登録者に対する無駄な広告配信を抑えていた。
【０００５】
【発明が解決しようとする課題】
しかしながら、上記従来の情報配信システムは、登録者の現在の居場所については全く考慮しておらず、登録者に対して該登録者が利用できない地域の広告を配信することがあった。ここで、登録者が利用できない地域の広告とは、例えば登録者の現在の居場所から数ｋｍ以上離れた地域の広告である。登録者に利用できない地域の広告を配信することは、その広告が登録者の属性に応じたものであっても、上記無駄な広告配信に該当する。
【０００６】
そこで、登録者に対して該登録者の属性情報だけでなく、現在の居場所に応じた広告の配信が行える情報配信システムが提案されている。この情報配信システムは、登録者が予め定められている行動を起こしたときに（例えば店舗で取引したときや、駅に設置されている自動改札機の通路を通行したときに）、該登録者の現在の居場所を検出し、ここで検出した居場所、および登録者の属性に応じた広告を登録者に配信する構成である。
【０００７】
なお、取引に使用されたクレジットカードやポイントカードに記録されているカード情報や、自動改札機の通路を通行するときに使用された定期券に記録されている情報から、予め定められている行動を起こした登録者を特定でき、登録者の行動を処理した装置の設置場所から該登録者の現在の居場所（店舗、駅）が特定できる。
【０００８】
しかし、この情報配信システムは、予め定められた行動を起こさない登録者については広告を配信しないので、全体的に広告の配信回数が減少し、その結果、宣伝効果があがらないという問題があった。
【０００９】
この発明の目的は、特定の行動を起こした登録者の周囲にいる他の登録者を検出し、ここで検出した他の登録者に配信情報を配信することで、無駄な情報配信が行われるのを抑え、且つより多くの人に配信情報を配信して宣伝効果を効率的に向上させられる情報配信システム、および情報配信方法を提供することにある。
【００１０】
また、この発明は上記情報配信システムで使用される携帯端末を提供することを目的とする。
【００１１】
【課題を解決するための手段】
この発明の情報配信システムは、上記課題を解決するために以下の構成を備えている。
【００１２】
（１）携帯端末から入力されたデータを用いて、特定の処理を実行する処理装置と、
上記携帯端末に配信情報を配信する情報配信装置と、を備えた情報配信システムにおいて、
上記携帯端末は、上記特定の処理に用いるデータを上記処理装置に入力する際に、他の携帯端末に対して応答を要求する応答要求信号を無線で送信する応答要求信号送信手段と、
上記応答要求信号送信手段が送信した上記応答要求信号に対する他の携帯端末から送信されてきた応答信号を受信する応答信号受信手段と、
上記応答信号を送信してきた携帯端末のリストを作成するリスト作成手段と、
上記リスト作成手段が作成したリストを上記情報配信装置に通知する通知手段と、を備え、
上記情報配信装置は、上記携帯端末毎に配信情報の配信先を記憶する配信先記憶手段と、
上記携帯端末の上記通知手段により通知されたリストに載っている携帯端末毎に、上記配信先記憶手段に記憶している配信先に配信情報を配信する配信手段と、を備えている。
【００１３】
この構成では、携帯端末が特定の処理を実行する処理装置に対して該特定の処理に用いるデータを入力する際に、応答要求信号送信手段により他の携帯端末に対して応答を要求する応答要求信号を無線で送信する。この応答要求信号送信手段、および後述する応答信号受信手段は、例えば通信エリアが半径１０ｍ程度である近距離無線通信方式、例えばブルーツース（Ｂｌｕｅｔｏｏｔｈ）（登録商標）やＵＷＢ（Ｕｌｔｒａ　Ｗｉｄｅ　Ｂａｎｄ）による無線通信機能で実現される。また、上記処理装置は、例えば登録された商品の取引を処理する取引処理装置や、駅の改札口に設置された自動改札機である。
【００１４】
処理装置は、特定の処理を行う対象の登録者を特定するために、少なくとも登録者を特定できるデータを携帯端末から取得する。言い換えれば、携帯端末が登録者を特定することができるデータを処理装置に入力する。
【００１５】
応答要求信号送信手段により送信された応答要求信号は、この応答要求信号の通信エリア内に位置する他の携帯端末、例えば応答要求信号を送信した携帯端末を中心に半径１０ｍ程度の範囲内に位置している他の携帯端末、において受信される。応答信号受信手段が応答要求信号を受信した携帯端末から返送されてきた応答信号を受信し、応答信号を送信してきた携帯端末のリストを作成する。ここで作成されるリストは、応答要求信号を送信した携帯端末の近くに位置している他の携帯端末、すなわち近くにいる他の登録者、のリストである。通知手段が、このリストを情報配信装置に通知する。
【００１６】
情報配信装置は、携帯端末から通知されたリストに載っている携帯端末毎に、情報を配信する。
【００１７】
これにより、処理装置に対して該特定の処理に用いるデータを入力した携帯端末の近くにある他の携帯端末、すなわち処理装置との間で特定の処理を行った登録者の近くにいる他の登録者、に現在の居場所に応じた配信情報を配信することができるので無駄な情報配信が行われるのを抑え、且つより多くの人に現在の居場所に応じた配信情報を配信して宣伝効果を効率的に向上させることができる。
【００１８】
（２）上記応答要求信号は、レベル値とネスト値とを含み、
上記携帯端末は、上記応答要求信号を受信したとき、この応答要求信号に含まれている上記ネスト値が上記レベル値未満であるかどうかを判定するネスト値判定手段を備えるとともに、
上記ネスト値判定手段が、上記ネスト値が上記レベル値未満であると判定したとき、上記応答要求信号送信手段が今回受信した上記応答要求信号に含まれていたネスト値を１カウントアップした上記応答要求信号を送信し、上記リスト作成手段が今回送信した応答要求信号に対して応答信号を送信してきた他の携帯端末、およびこれらの携帯端末から通知された携帯端末のリストを作成し、上記通知手段が、ここで作成したリストを含む応答信号を今回受信した上記応答要求信号を送信してきた携帯端末に送信する。
【００１９】
この構成では、応答要求送信手段から送信される応答要求信号にレベル値とネスト値が含まれている。このレベル値、およびネスト値は、他の携帯端末からの応答要求信号を受信した携帯端末に、付近に位置している他の携帯端末の検出を行わせるかどうか指示するための情報である。
【００２０】
携帯端末のネスト値判定手段が、他の携帯端末から送信されてきた応答要求信号に含まれているネスト値がレベル値未満であるかどうかを判定する。ネスト値がレベル値未満である場合、携帯端末の応答要求送信手段が今回受信した応答要求信号に含まれていた、ネスト値を１カウントアップした応答信号を送信する。例えば、今回受信した応答信号に含まれていた、レベル値が２でネスト値が１であった場合、レベル値が２でネスト値が２である応答信号を送信する。携帯端末のリスト作成手段が今回送信した応答要求信号に対して応答信号を送信してきた携帯端末、およびこれらの携帯端末から通知されたリストに基づいてリストを作成し、通知手段がここで作成したリストを今回受信した応答要求信号を送信してきた携帯端末に通知する。
【００２１】
これにより、特定の処理を行った携帯端末だけでなく、この携帯端末から送信されてきた応答要求信号を受信した携帯端末にも周囲に位置している他の携帯端末を検出させることができ、より多くの携帯端末に配信情報を配信することができる。したがって、配信情報の配信により生じる宣伝効果を一層効率的に向上させることができる。
【００２２】
【発明の実施の形態】
以下、この発明の実施形態である情報配信システムについて説明する。
【００２３】
図１は、この発明の実施形態である情報配信システムの構成を示す図である。この実施形態は、この発明をショッピングセンタに適用した例である。図１において、１はショッピングセンタのセンタ装置であり、この発明で言う情報配信装置に相当する。２は、ショッピングセンタ内の各店舗（図では店舗Ａ、Ｂのみ示している。）のレジに設置されたＰＯＳ端末やＣＡＴ端末等の取引処理装置であり、この発明で言う特定の処理（この実施形態では取引処理）を実行する処理装置に相当する。３はインタネットを介した電子メールの送受信機能を有する携帯電話やＰＤＡ等の携帯端末である。４は、センタ装置１に属性情報を含む個人情報が登録されている登録者である。登録者４は、携帯端末３の所有者である。
【００２４】
なお、ここでは携帯端末３は携帯電話であるとして以下説明するが、ＰＤＡであってもよい。
【００２５】
センタ装置１は、図示していないＣＡＦＩＳ（登録商標）に専用線で接続されている。ＣＡＦＩＳは、周知のように共同利用型のクレジットオンラインシステムである。取引処理装置２は、クレジット取引を処理する場合、センタ装置１を介してＣＡＦＩＳに取引の認証要求を行い、ＣＡＦＩＳからの認証結果に基づいて取引の可否を判定し、取引を処理する。具体的には、ＣＡＦＩＳを経由してカード会社が運営する情報処理センタやカード会社のホスト装置に接続し、取引の認証要求を行う。店舗におけるクレジット取引の処理については周知であるので、ここでは説明を省略する。また、センタ装置１はインタネット（不図示）を利用して電子メールを配信する機能を有している。さらに、取引処理装置２、および携帯端末３には、通信エリアが半径１０ｍ程度である、近距離の無線通信機能が設けられている。例えば、ＵＷＢ（Ｕｌｔｒａ　Ｗｉｄｅ　Ｂａｎｄ）やブルーツース（Ｂｌｕｅｔｏｏｔｈ）による、無線通信機能が設けられている。
【００２６】
図２は、センタ装置の構成を示すブロック図である。センタ装置１は、本体の動作を制御する制御部１１と、ショッピングセンタ内の店舗毎に処理された取引の履歴を記憶し、管理する店舗管理部１２と、データ通信ラインで接続されている取引処理装置２とのデータ通信を実行する第１の通信部１３と、専用線で接続されたＣＡＦＩＳとの通信を実行する第２の通信部１４と、登録者４に配信する配信情報を記憶した配信情報記憶部１５と、配信情報記憶部１５に記憶されている配信情報を配信する配信部１６と、登録者４毎に属性情報を含む個人情報を記憶する個人情報記憶部１７と、を備えている。
【００２７】
配信部１６は、配信情報記憶部１５に記憶されている配信情報を、電子メールの添付ファイルとして配信する。個人情報記憶部１７に記憶されている個人情報は、登録者４を識別する登録者番号、氏名、年齢、性別、趣味、嗜好、携帯端末３の電子メールアドレス（以下、単にメールアドレスと言う。）を対応付けた情報である。また、配信情報記憶部１５に記憶されている配信情報は、主にショッピングセンタ内の店舗の広告や、ショッピングセンタ内やその近所で行われるイベントの広告、であり、地域的な面から見るとショッピングセンタにいる登録者に対して配信するのに適した配信情報である。反対に、ショッピングセンタから離れた場所にいる登録者に対して配信しても、宣伝効果が期待できない配信情報である。
【００２８】
図３は、取引処理装置２の構成を示すブロック図である。取引処理装置２は、本体の動作を制御する制御部２１と、顧客との取引を処理する取引処理部２２と、データ通信ラインで接続されたセンタ装置１とのデータ通信を実行する通信部２３と、近距離の無線通信（ＵＷＢやブルーツース）を実行する無線通信部２４と、を備えている。
【００２９】
なお、取引処理部２２は、入力キーを配置した操作部、商品に付されているバーコードを読み取るバーコードリーダ、クレジットカードやポイントカードに記憶されているカードデータを読み取るカードリーダ、取引伝票を発行するプリンタ、商品の登録内容や精算金額を表示する表示部等、を纏めた構成である。これらについては、周知であるのでここでは説明を省略する。
【００３０】
図４は、携帯端末の構成を示す図である。携帯端末３は、本体の動作を制御する制御部３１と、任意の相手局との音声通信やインタネットを利用したデータ通信を実行する主機能部３２と、取引処理に用いる取引関連情報を記憶した取引関連情報記憶部３３と、近距離の無線通信（ＵＷＢやブルーツース）を実行する無線通信部３４と、を備えている。取引関連情報記憶部３３に記憶されている取引関連情報には、少なくとも登録者を識別する登録者番号が含まれている。
【００３１】
なお、取引関連情報として、取引関連情報記憶部３３にクレジットカード番号、ポイントカード番号、取引の決済に使用する電子マネーの価値情報等を記憶させてもよい。
【００３２】
また、主機能部３２は、ダイヤルボタンを配置した操作部、受話部、送話部、表示部、携帯電話網に設けられた基地局との無線通信を実行する通信部等、を纏めた構成である。これらについては、周知であるのでここでは説明を省略する。
【００３３】
以下、この実施形態の情報配信システムの動作について説明する。
【００３４】
図５は取引処理装置の動作を示すフローチャートであり、図６は携帯電話の動作を示すフローチャートである。
【００３５】
店舗で取引する登録者４が、携帯端末３において取引処理装置２に対して接続を要求するためのキー操作（所定のキー操作）を行う。携帯端末３は、所定のキー操作が行われるか（ｓ１１）、他の携帯端末３からの応答要求信号を受信するのを（ｓ１２）待っている。
【００３６】
但し、登録者４は、携帯端末３で携帯電話網を介した音声通信等も適宜行えることはいうまでもない。
【００３７】
携帯端末３は、所定のキー操作が行われると、取引関連情報記憶部３３に記憶している登録者番号を含む接続要求を無線通信部３４から取引処理装置２に送信し（ｓ１３）、取引処理装置２からの接続完了の通知を待つ（ｓ１４）。
【００３８】
なお、登録者４は携帯端末３を取引処理装置２に近づけて上記所定のキー操作を行う。携帯端末３は、通信エリアが数１０ｃｍになるように、送信レベルを抑えて上記接続要求を送信する。このようにしている理由は、店舗に設置されている他の取引処理装置２に接続要求が受信されるのを防止するためである。また、電波でなく赤外線による通信で取引処理装置２に上記接続要求を送信するように構成してもよい。この場合には、携帯端末３および取引処理装置２の双方に、赤外線による通信機能を設ければよい。
【００３９】
取引処理装置２は、携帯端末３からの接続要求を受信すると（ｓ１）、今回接続要求を送信してきた携帯端末３に対して無線通信部２４から接続完了を通知する（ｓ２）。この接続完了通知には、ｓ１で受信した接続要求に含まれていた登録者番号、およびレベル値が含まれている。このレベル値は、後述する他の携帯端末の検出における、数珠繋ぎレベルを示す値である。接続完了通知には、登録者番号が含まれているので、接続要求を送信した携帯端末３でない他の携帯端末３がこの接続完了通知を受信しても、これを無視できる。
【００４０】
なお、取引処理装置２は、この間に取引する商品の登録が開始されていてもよいし、この後開始されてもよい。
【００４１】
取引処理装置２は、取引する商品の登録が完了すると（ｓ３）、今回登録された商品の精算処理を行う（ｓ４）。取引処理装置２における商品の登録処理や、登録された商品の精算処理については周知であるので、詳細な説明については省略する。但し、取引金額の決済をクレジットで行う場合、携帯端末３からクレジットカード番号を取得してもよいし、従来のようにクレジットカードに磁気データで記録されているクレジットカード番号を読み取ってもよい。携帯端末３から取得した情報（電子マネーの価値情報）に基づいて、取引金額を電子マネーで決済できるようにしてもよい。
【００４２】
取引処理装置２は、ｓ４にかかる精算処理が完了すると、ｓ２で完了通知を送信した携帯端末３に対して、リストの送信要求を送信し（ｓ５）、この携帯端末３からリストが送信されてくるのを待つ（ｓ６）。
【００４３】
このリストの送信要求にも、ｓ１で受信した接続要求に含まれていた登録者番号が含まれている。したがって、接続要求を送信した携帯端末３でない他の携帯端末３がリストの送信要求を受信しても、このリストの送信要求については無視する。
【００４４】
図６に戻って、取引処理装置２からの接続完了通知の受信後の携帯端末３の動作について説明する。携帯端末３は、ｓ１４で取引処理装置２からの接続完了通知を受信すると、無線通信部３４から近くにいる他の携帯端末３（他の登録者４）に対して、応答要求信号を送信する（ｓ１５）。
【００４５】
この応答要求信号には、接続完了通知に含まれていたレベル値、およびネスト値が含まれている。ネスト値は、現在の数珠繋ぎレベルを示す値である。取引処理装置２から接続完了通知を受信した携帯端末３は、ネスト値を初期値である１とした応答要求信号を送信する。ここで言う数珠繋ぎレベルについては、後述する。また、携帯端末３は、通信エリアが半径１０ｍ程度になる送信レベルで応答要求信号を送信する。このため、応答要求信号を送信した携帯端末３を中心に半径１０ｍ程度の範囲内に位置している他の携帯端末３において、この応答要求信号が受信される。
【００４６】
携帯端末３は、図６に示すｓ１２で応答要求信号を受信すると、応答処理を実行する（ｓ２０）。上記説明から明らかなように、この応答要求信号を受信した携帯端末３は、取引処理装置２に対して接続要求を送信した携帯端末３ではない。図７は、ｓ２０にかかる応答処理を示すフローチャートである。
【００４７】
応答要求信号を受信した携帯端末３は、受信した応答要求信号に含まれているネスト値がレベル値未満であるかどうかを判定する（ｓ２１）。ｓ２１で、ネスト値がレベル値未満であると、携帯端末３は応答要求信号を送信する（ｓ２２）。このとき、携帯端末３が送信する応答要求信号に含まれているネスト値は、該携帯端末３が今回受信した応答要求信号に含まれていたネスト値と同じ値ではなく、１カウントアップされた値である。一方、レベル値は、該携帯端末３が今回受信した応答要求信号に含まれていたレベル値と同じ値である。
【００４８】
携帯端末３は、ｓ２２で応答要求信号を送信すると、待ち時間を算出する（ｓ２３）。具体的には、
待ち時間＝Ａ／ネスト値　（Ａは予め定められた定数）
により、待ち時間を算出する。上記説明から明らかなように、ネスト値が大きくなるほど、ｓ２３で算出される待ち時間が短くなるようにしている。
【００４９】
ｓ２２で、携帯端末３が応答要求信号を送信すると、この応答要求信号がさらに他の携帯端末３で受信され、応答要求信号を受信した携帯端末がｓ２１以降の処理を実行する。このように、応答要求信号を受信した携帯端末３に、さらに応答要求信号を出力させることを、ここでは数珠繋ぎと呼んでいる。ネスト値は現在の数珠繋ぎレベルを示す値であり、レベル値は設定された数珠繋ぎレベルを示す値である。
【００５０】
例えば、応答要求信号に含まれているレベル値が２である場合について図８を参照しながら具体的に説明する。図８において、携帯端末３Ａが取引処理装置２に接続要求を行った携帯端末３である。この携帯端末３Ａは、レベル値＝２、ネスト値＝１とした応答要求信号を送信する。この携帯端末３から送信された応答要求信号は、携帯端末３Ａを中心とする半径１０ｍ程度の通信エリアＡ内に位置している、携帯端末３Ｂ、３Ｃで受信される。この携帯端末３Ｂ、３Ｃは、レベル値＝２、ネスト値＝２とした応答要求信号を送信する。携帯端末３Ｂから送信された応答要求信号は、携帯端末３Ｂを中心とする半径１０ｍ程度の通信エリアＢ内に位置している、携帯端末３Ｄ、３Ｅで受信される。また、携帯端末３Ｃから送信された応答要求信号は、携帯端末３Ｃを中心とする半径１０ｍ程度の通信エリアＣ内に位置している、携帯端末３Ｅ、３Ｆで受信される。
【００５１】
携帯端末３Ｄ、３Ｅ、３Ｆは、受信した応答要求信号に含まれているネスト値がレベル値未満でないので、図７に示すｓ２９に進んで応答信号を送信する。この応答信号には、携帯端末３の取引関連情報記憶部３３に記憶されている登録者番号が含まれている。
【００５２】
なお、図８に示す携帯端末３Ｅは、携帯端末３Ｂ、３Ｃの双方から応答要求信号を受信するので、携帯端末３Ｂ、３Ｃの双方に応答信号を送信する。
【００５３】
図７に戻って、ｓ２３で待ち時間を算出した携帯端末３は、ここで算出した待ち時間が経過するまでの間に、他の携帯端末３からの応答信号を受信すると、応答信号を受信した携帯端末３のリストの作成、更新を行う（ｓ２４〜ｓ２６）。具体的には、応答信号を受信する毎に、受信した応答信号に含まれている登録者番号をリストに登録する。
【００５４】
なお、後述するように応答信号に複数の登録者番号が登録されたリストが送信されてくる場合もある。この場合には、受信した応答信号に含まれているリストに登録されている登録者番号をｓ２６でリストに登録する。また、ｓ２６におけるリストの作成、更新では、同じ登録者番号がリストに複数登録しないようにしている（ダブリ登録を防止している。）。
【００５５】
携帯端末３は、ｓ２３で算出した待ち時間が経過すると、取引関連情報記憶部３３に記憶している登録者番号をｓ２６で作成、更新したリストに追加し（ｓ２７）、このリストを今回受信した応答要求信号を受信した携帯端末３に送信し（ｓ２８）、本処理を終了する。
【００５６】
ここで、図８を参照しながら、上記図７に示したｓ２７、ｓ２８の処理について具体的に説明する。携帯端末３Ａが送信した応答要求信号は、携帯端末３Ｂ、３Ｃで受信され、携帯端末３Ｂ、３Ｃが応答信号を送信している。また、携帯端末３Ｂは、携帯端末３Ｄ、３Ｅから応答信号を受信し、携帯端末３Ｄ、３Ｅの登録者番号を登録したリストを作成し、さらにこのリストに自機の取引関連情報記憶部３３に記憶している登録者番号を登録し、これを応答信号に含ませて携帯端末３Ａに送信する。したがって、携帯端末３Ａにおいては、携帯端末３Ｂ、３Ｄ、３Ｅの登録者番号が登録されたリストが携帯端末３Ｃから送信されてくる。
【００５７】
同様に、携帯端末３Ｃは、携帯端末３Ｅ、３Ｆから応答信号を受信し、携帯端末３Ｅ、３Ｆの登録者番号を登録したリストを作成し、さらにこのリストに自機の取引関連情報記憶部３３に記憶している登録者番号を登録し、これを応答信号に含ませて携帯端末３Ａに送信する。したがって、携帯端末３Ａにおいては、携帯端末３Ｃ、３Ｅ、３Ｆの登録者番号が登録されたリストが携帯端末３Ｃから送信されてくる。
【００５８】
このように、携帯端末３Ａは、携帯端末３Ｂから携帯端末３Ｂ、３Ｄ、３Ｅの登録者番号が登録されたリストを受信し、携帯端末３Ｃから携帯端末３Ｃ、３Ｅ、３Ｆの登録者番号が登録されたリストを受信する。
【００５９】
図６に戻って、ｓ１５で応答要求信号を送信した携帯端末３は、接続を要求した取引処理装置２からリストの送信要求があるまで、他の携帯端末３からの応答信号を受信すると、応答信号を受信した携帯端末３のリストの作成、更新を行う（ｓ１６〜ｓ１８）。例えば、図８に示した携帯端末３Ａが、携帯端末３Ｂからリストを含む応答信号を受信すると、このリスト登録されている帯端末３Ｂ、３Ｄ、３Ｅの登録者番号をリストに登録し、その後、携帯端末３Ｃからリストを含む応答信号を受信すると、このリストに含まれている携帯端末３Ｃ、３Ｆの登録者番号をリストに登録する更新を行う。このとき、携帯端末３Ｅの登録者番号については、すでにリストに登録されているので、今回リストには登録しない（ダブリ登録を行わない）。
【００６０】
携帯端末３は、取引処理装置２からのリストの送信要求があると、ｓ１８で作成、更新したリストを取引処理装置２に送信し（ｓ１９）、本処理を終了する。このとき、携帯端末３は、自機の取引関連情報記憶部３３に記憶している登録者番号をリストに登録し、取引処理装置２に送信するようにしてもよい。
【００６１】
図５に戻って、取引処理装置２は、ｓ６で携帯端末３からリストを受信すると、ここで受信したリストおよび今回処理した取引データを通信部２３からセンタ装置１に送信し（ｓ７）、本処理を終了する。
【００６２】
次に、図９を参照しながら、センタ装置１の動作について説明する。図９は、センタ装置１の動作を示すフローチャートである。センタ装置は、取引処理装置２から送信されてきた取引データを受信すると（ｓ３１）、この取引データを店舗管理部１２に記憶する（ｓ３２）。ｓ３２は、各店舗の売上を管理するための処理である。その後、取引データとともに送信されてきたリストに載っている登録者４毎に個人情報記憶部１７に記憶している、属性情報に基づいて、趣味、嗜好等にあった配信情報を配信情報記憶部１５から抽出する配信情報作成処理を実行する（ｓ３３）。センタ装置１は、ｓ３３で作成した配信情報を電子メールで配信し（ｓ３４）、本処理を終了する。
【００６３】
このように、この実施形態では店舗で取引を行った登録者４だけでなく、この登録者４の近くにいる他の登録者４、すなわちショッピングセンタ内にいる他の登録者４、にも配信情報を配信することができるので、多くの登録者４に対して、現在の居場所（ショッピングセンタ）、および属性（趣味、嗜好）にあった情報を配信することができる。例えば、ショッピングセンタ内の店舗におけるタイムサービスの広告等、時間制限のある広告であっても、現在ショッピングセンタにいる多くの登録者４に配信することができ、店舗における集客や売上の向上を狙った広告配信が無駄なく、効率的に行える。
【００６４】
また、店舗で取引した登録者４の近くにいる他の登録者４を数珠繋ぎ的に検出しているので、、より多くの登録者４に現在の居場所に応じた配信情報を配信でき、宣伝効果を一層向上させることができる。
【００６５】
なお、ｓ２３で算出される待ち時間が、ネスト値が大きくなるにつれて短くなるようにしているのは、応答要求信号を送信した携帯端末３がリストを送信する前に、送信した応答要求信号を受信した他の携帯端末３から応答信号を受け取るためである。
【００６６】
また、本願発明は上記実施形態に限定されず、登録者４が何らかの行動起こしたときに、登録者４が所持している携帯端末３が上記のように近くにいる他の登録者４の携帯端末３を数珠繋ぎ的に検出し、検出した他の登録者４のリストをセンタ装置１に通知するシステムに適用できる。例えば、携帯端末３に定期券等に記憶されている乗車券情報を記憶させておき、自動改札機が通路を通行した登録者４を検出したときに、この登録者４の携帯端末３が上記のように近くにいる他の登録者４の携帯端末３を数珠繋ぎ的に検出し、検出した他の登録者４のリストを自動改札機を介してセンタ装置１に通知するシステムに適用できる。
【００６７】
【発明の効果】
以上のように、この発明によれば、何らかの行動を起こした登録者の周囲にいる他の登録者を検出し、ここで検出した登録者毎に配信情報を配信するので、無駄な配信を抑え、且つ多くの登録者に居場所に応じた配信情報を配信することができる。したがって、無駄なく、効率的な配信情報の配信が行える。
【図面の簡単な説明】
【図１】この発明の実施形態である情報配信システムの構成を示す図である。
【図２】この発明の実施形態である情報配信システムのセンタ装置の構成を示すブロック図である。
【図３】この発明の実施形態である情報配信システムの取引処理装置の構成を示すブロック図である。
【図４】この発明の実施形態である情報配信システムの携帯端末の構成を示すブロック図である。
【図５】この発明の実施形態である情報配信システムの取引処理装置の動作を示すフローチャートである。
【図６】この発明の実施形態である情報配信システムの携帯端末の動作を示すフローチャートである。
【図７】応答処理を示すフローチャートである。
【図８】数珠繋ぎ的に登録者を検出する動作を説明する図である。
【図９】この発明の実施形態である情報配信システムのセンタ装置の動作を示すフローチャートである。
【符号の説明】
１−センタ装置
２−取引処理装置
３−携帯端末
４−登録者
３１−制御部
３２−主機能部
３３−取引関連情報記憶部
３４−無線通信部
【図１】
2004070425.tif 000003
【図２】
2004070425.tif 000004
【図３】
2004070425.tif 000005
【図４】
2004070425.tif 000006
【図５】
2004070425.tif 000007
【図６】
2004070425.tif 000008
【図７】
2004070425.tif 000009
【図８】
2004070425.tif 000010
【図９】
2004070425.tif 000011